(57)【要約】  対基板作業管理装置は、複数の対基板作業機を有しており、複数の対基板作業機は、対基板作業機毎に設定された作業を基板に対して実施し、複数の基板が複数の対基板作業機のそれぞれに順次搬送され、複数の対基板作業機が複数の基板のそれぞれに作業を実施することで電子部品実装基板を生産する生産ラインを管理する。この装置は、基板作業枚数リセットスイッチと、複数の対基板作業機のうちの１台以上の対基板作業機が作業を行った基板の各枚数を、１台以上の対基板作業機毎にカウントする基板作業枚数カウント部と、基板作業枚数カウント部がカウントした基板作業枚数を記憶する基板作業枚数記憶部と、基板作業枚数リセットスイッチが操作された場合に、複数の対基板作業機が作動している状態で、基板作業枚数記憶部に記憶されている１台以上の対基板作業機のうち少なくとも特定の対基板作業機の基板作業枚数をリセットする基板作業枚数リセット部を有する。
2016103330.tif 000002
【特許請求の範囲】
【請求項１】
複数の対基板作業機のそれぞれは、対基板作業機毎に設定された作業を基板に対して実施するように設定され、複数の基板のそれぞれが前記複数の対基板作業機のそれぞれに順次搬送され、前記複数の対基板作業機のそれぞれが前記複数の基板のそれぞれに作業を実施することで電子部品が実装された電子部品実装基板を生産する生産ラインを管理する装置であって、
基板作業枚数リセットスイッチと、
前記複数の対基板作業機のうちの１台以上の対基板作業機が作業を行った基板の各枚数を、前記１台以上の対基板作業機毎にカウントする基板作業枚数カウント部と、
対基板作業機の前記基板作業枚数カウント部がカウントした基板作業枚数を記憶する基板作業枚数記憶部と、
前記基板作業枚数リセットスイッチが操作された場合に、前記複数の対基板作業機が作動している状態で、前記基板作業枚数記憶部に記憶されている前記１台以上の対基板作業機のうち少なくとも特定の対基板作業機の前記基板作業枚数をリセットする基板作業枚数リセット部と、を有する対基板作業管理装置。
【請求項２】
前記基板作業枚数リセット部は、前記基板作業枚数リセットスイッチが操作された場合に、前記複数の対基板作業機から予め選択された基準対基板作業機において基板に作業が行われているときは、前記基準対基板作業機で作業が行われている基板が当該基準対基板作業機から搬出された時に、前記基板作業枚数記憶部に記憶されている前記特定の対基板作業機の前記基板作業枚数をリセットする、請求項１に記載の対基板作業管理装置。
【請求項３】
前記基板作業枚数リセット部は、前記基板作業枚数リセットスイッチが操作された場合に、前記基板作業枚数リセットスイッチの操作時に前記複数の対基板作業機のうち最上流側の対基板作業機で作業が実施されている基板が、前記複数の対基板作業機のうち最下流の対基板作業機から搬出されたときに、前記基板作業枚数記憶部に記憶されている前記特定の対基板作業機の前記基板作業枚数をリセットする、請求項１に記載の対基板作業管理装置。
【発明の詳細な説明】
【技術分野】
【０００１】
本明細書に開示する技術は、基板に電子部品を実装するための作業を行う対基板作業機の基枚作業枚数を管理する管理装置に関する。
【背景技術】
【０００２】
特許文献１（日本国特開２００４−１６５５２１号公報）に、回路基板に対して所定の作業を実行する部品搭載装置（対基板作業機の一種）が開示されている。この部品搭載装置では、部品搭載装置が生産した生産基板枚数、部品吸着数、部品吸着エラー、稼働時間などの生産実績データがメモリに記録される。そして、予め設定された時間帯の生産が終了した後に、メモリから生産実績データを読み出して、部品搭載装置の稼働状態の評価を行う。部品搭載装置は、部品搭載装置の生産実績データを任意のタイミングでリセットすることができる手段を備えている。
【発明の概要】
【発明が解決しようとする課題】
【０００３】
特許文献１の技術では、部品搭載装置の生産実績データを任意のタイミングでリセットするためには、部品搭載装置を強制停止する必要がある。この結果、生産実績データをリセットすることによって、部品搭載装置の稼働時間が短くなるという問題を有している。【０００４】
本明細書では、対基板作業機が作動している状態で、対基板作業機の基板作業枚数をリセットすることができる対基板作業管理装置を開示する。
【課題を解決するための手段】
【０００５】
本明細書に開示する対基板作業管理装置は、複数の対基板作業機を有しており、複数の対基板作業機のそれぞれは、対基板作業機毎に設定された作業を基板に対して実施するように設定され、複数の基板のそれぞれが複数の対基板作業機のそれぞれに順次投入され、複数の対基板作業機のそれぞれが複数の基板のそれぞれに作業を実施することで電子部品が実装された電子部品実装基板を生産する生産ラインを管理する。対基板作業管理装置は、基板作業枚数リセットスイッチと、複数の対基板作業機のうちの１台以上の対基板作業機が作業を行った基板の各枚数を、１台以上の対基板作業機毎にカウントする基板作業枚数カウント部と、対基板作業機の基板作業枚数カウント部がカウントした基板作業枚数を記憶する基板作業枚数記憶部と、基板作業枚数リセットスイッチが操作された場合に、複数の対基板作業機が作動している状態で、基板作業枚数記憶部に記憶されている１台以上の対基板作業機のうち特定の対基板作業機の基板作業枚数をリセットする基板作業枚数リセット部を有する。【０００６】
上記の対基板作業管理装置では、複数の対基板作業機が作動している状態でも、基板作業枚数リセットスイッチを操作することで、特定の対基板作業機の基板作業枚数をリセットすることができる。このような構成によると、特定の対基板作業機の基板作業枚数をリセットするために、複数の対基板作業機を停止させる必要がない。この結果、対基板作業機の稼働時間を低下させることなく、特定の対基板作業機の基板作業枚数をリセットすることができる。
【図面の簡単な説明】
【０００７】
【図１】対基板作業管理装置の構成を示すブロック図である。
【図２】対基板作業機を示す図である。
【図３】対基板作業機の装着ヘッドを示す図である。
【図４】対基板作業管理装置の電気的な構成を示す図である。
【図５】第１実施例の基板作業枚数リセット処理のフローチャートを示す図である。
【図６】第２実施例の基板作業枚数リセット処理のフローチャートを示す図である。
【図７】変形例（５）の基板作業枚数リセット処理のフローチャートを示す図である。
【発明を実施するための形態】
【０００８】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【０００９】
（特徴１）基板作業枚数リセット部は、基板作業枚数リセットスイッチが操作された場合に、複数の対基板作業機から予め選択された基準対基板作業機において基板に作業が行われているときは、基準対基板作業機で作業が行われている基板が基準対基板作業機から搬出された時に、基板作業枚数記憶部に記憶されている特定の対基板作業機の基板作業枚数をリセットしてもよい。上記の構成では、リセットスイッチ操作時に、基準となる対基板作業機（基準対基板作業機）で作業が行われている基板は、リセットスイッチ操作前に作業が行われた基板としてカウントされる。すなわち、リセットスイッチ操作後に、基準対基板作業機に投入される基板が、リセットスイッチ操作後に作業が行われた基板としてカウントされる。このため、基準対基板作業機で基板に対する作業が完了した時点で基板作業枚数をリセットする管理を行っている場合でも、基準対基板作業機で基板に作業が行われているか否かにかかわらず、単にリセットスイッチを操作するだけで、基準対基板作業機で基板に対する作業が完了した時点で基板作業枚数をリセットすることができる。
【００１０】
（特徴２）基板作業枚数リセット部は、基板作業枚数リセットスイッチが操作された場合に、基板作業枚数リセットスイッチの操作時に複数の対基板作業機のうち最上流側の対基板作業機で作業が実施されている基板が、複数の対基板作業機のうち最下流側の対基板作業機から搬出された時に、基板作業枚数記憶部に記憶されている特定の対基板作業の基板作業枚数をリセットしてもよい。このような構成によると、リセットスイッチ操作時までに生産ライン（詳細には、最上流側の対基板管理装置）に供給された基板と、リセットスイッチ操作後に生産ラインに供給された基板とを、適切に判別することができる。
【００１１】
（第１実施例）
以下、本実施例に係る対基板作業管理装置２について説明する。図１に示すように、対基板作業管理装置２は、電子部品が実装された電子部品実装基板を生産する生産ライン９を管理する装置であり、アクセサリＰＣ４と、データサーバ６を備えている。生産ライン９は、複数の対基板作業機８ａ−８ｅにより構成されており、各対基板作業機８ａ−８ｅで回路基板１２に対して作業が行われることで電子部品実装基板が生産される。データサーバ６は、電子データを記憶する装置であり、複数の対基板作業機８ａ−８ｅで作業された基板作業枚数を記憶することができる。アクセサリＰＣ４は、データサーバ６と、複数の対基板作業機８ａ−８ｅと、に通信可能に接続されている。アクセサリＰＣ４は、対基板作業機８ａ−８ｅから送信される情報に基づいて、データサーバ６に記憶されている電子データの追加、確認、編集及び削除といった処理に使用される。
【００１２】
まず、対基板作業管理装置２が管理する生産ライン９について説明する。生産ライン９を構成する複数の対基板作業機８ａ−８ｅは、搬送経路１０に沿って、上工程から下工程に向かって順に配置されている。回路基板１２は、搬送経路１０に沿って、複数の対基板作業機８ａ−８ｅに順次搬送される。複数の対基板作業機８ａ−８ｅは、対基板作業機毎に設定された作業（例えば、予め設定された電子部品の実装）を回路基板１２に対して実施する。これにより、電子部品が実装された電子部品実装基板が生産される。なお、複数の対基板作業機８ａ−８ｅは、同一の構成をしている。以下では、複数の対基板作業機８ａ−８ｅのいずれか一つを区別なく表す場合に「対基板作業機８」と表記する。
【００１３】
図２、３を用いて、対基板作業機８について説明する。対基板作業機８は、回路基板１２に所定の作業を実施する装置の一例である。図２に示すように、対基板作業機８は、他の対基板作業機８とともに、システムベース１４に固定されている。以下の説明では、図２において、対基板作業機８が並ぶ方向をＸ方向とし、それに垂直な水平方向をＹ方向とする。
【００１４】
対基板作業機８は、フレーム２０と、フレーム２０に固定された複数のフィーダ３０を備えている。複数のフィーダ３０は、フレーム２０の前部に対して、着脱可能に取り付けられている。各々のフィーダ３０は、複数の電子部品を収容しており、後述する装着ヘッド２２へ電子部品を供給する。本実施例のフィーダ３０は、複数の電子部品をキャリアテープに収容するテープ式フィーダである。なお、フィーダ３０は、他の種類のフィーダであってもよく、テープ式フィーダに限定されない。例えば、複数の電子部品をトレイ上に収容するトレイ式フィーダであってもよい。
【００１５】
対基板作業機８は、基板支持装置２６と基板搬送装置２８とを備える。基板支持装置２６と基板搬送装置２８は、フレーム２０に対して固定されている。基板支持装置２６は、電子部品が装着される回路基板１２を支持する装置である。基板搬送装置２８は、回路基板１２をＸ方向へ搬送する装置であり、作業前の回路基板１２を基板支持装置２６に搬入し、作業後の回路基板１２を基板支持装置２６から搬出する。基板搬送装置２８は、隣接する他の対基板作業機８の基板搬送装置２８と一連に接続される。基板搬送装置２８は、一方側に隣接する対基板作業機８から回路基板１２を受け取るとともに、電子部品の装着が完了した回路基板１２を、他方側に隣接する対基板作業機８へ送り出す。なお、基板支持装置２６および基板搬送装置２８の具体的な構成については、特に限定されない。
【００１６】
対基板作業機８は、装着ヘッド２２と、装着ヘッド２２をＸ方向及びＹ方向に移動させる移動装置２４（ＸＹロボット）を備えている。移動装置２４は、装着ヘッド２２をＸ方向及びＹ方向に移動させる。装着ヘッド２２は、フィーダ３０から電子部品を取り上げて保持し、基板支持装置２６上の回路基板１２へ搬送して装着する。
【００１７】
対基板作業機８は、操作パネル３２を備えている。操作パネル３２は、作業者の指示を受け付ける入力装置であるとともに、作業者に対して各種の情報を表示する表示装置でもある。例えば、操作パネル３２には、対基板作業機８の基板作業枚数が表示される。
【００１８】
図３に示すように、装着ヘッド２２は、複数のノズル４０と、複数のノズル４０を周回させる周回装置４２と、ノズル４０を昇降させる昇降装置４６を備えている。各々のノズル４０は、電子部品を吸着及び吸着解除する治具であり、装着ヘッド２２は、各々のノズル４０に電子部品を保持することができる。周回装置４２は、複数のノズル４０を装着ヘッド２２に対して回転させ、一つのノズル４０を選択的に取上位置へ移動させる。装着ヘッド２２は、取上位置にあるノズル４０を昇降装置４６によって昇降させることにより、フィーダ３０から電子部品を取り上げるとともに、ノズル４０に保持した電子部品を回路基板１２上へ装着する。
【００１９】
対基板作業機８は、カメラ４８を備えている。カメラ４８は、装着ヘッド２２が取り付けられるＸスライドの下部に取り付けられている。Ｘスライドは、装着ヘッドとともにＸ方向にスライド可能であるので、カメラ４８は、移動装置２４によってＸ方向及びＹ方向に移動する。カメラ４８は、その光軸が概して鉛直下方に向けられており、フィーダ３０や基板支持装置２６に載置された回路基板１２を撮像することができる。このような構成により、カメラ４８は、回路基板１２に対してＸ方向及びＹ方向に相対移動することで、回路基板１２の任意の位置を選択的に撮像することができる。対基板作業機８の各部３０，２６，２２，４８等の動作は、対基板作業機８に搭載された制御装置５０（図４に図示）によって制御される。
【００２０】
図４は、対基板作業管理装置２の電気的な構成を示すブロック図である。アクセサリＰＣ４は、制御装置７０と、制御装置７０に接続されているリセットスイッチ７２を備えている。制御装置７０は、ＣＰＵ，ＲＯＭ，ＲＡＭを備えたコンピュータを用いて構成されている。制御装置７０は、データサーバ６と、対基板作業機８の制御装置５０に、通信可能に接続されている。制御装置７０は、データサーバ６に記憶されているデータの追加、確認、編集および削除といった処理を実施する。データサーバ６に記憶されるデータとしては、対基板作業機８ａ−８ｅで行われる作業情報（例えば、実装する電子部品の種類及び装着位置等）や作業履歴情報（例えば、基板作業枚数、実装した電子部品の数等）が含まれる。対基板作業機８ａ−８ｅは、制御装置７０に当該対基板作業機８の作業状況を送信し、制御装置７０は、対基板作業機８ａ−８ｅから送信される作業状況に基づいて、データサーバ６内の作業履歴情報を更新（追加、編集、削除等）する。また、制御装置７０は、リセットスイッチ７２が操作された場合に、第１リセット信号を制御装置５０に送信する。リセットスイッチ７２は、任意のタイミング、例えば、作業者が交替する時や対基板作業管理装置２に供給される回路基板１２の種類が変更される時など、に操作される。すなわち、生産ライン９を管理する管理者によって任意に設定され、管理者が管理したいタイミングでリセットすることができる。
【００２１】
対基板作業機８は、制御装置５０と、制御装置５０に通信可能に接続された記憶装置５８を備えている。記憶装置５８には、対基板作業機８の動作を制御するための演算プログラム及び対基板作業機８の基板作業枚数、フィーダ３０の部品使用数等の作業履歴情報が記憶されている。制御装置５０は、演算プログラムを実行することで、基板作業枚数カウント部５２と基板作業枚数リセット部５４と基板作業制御部５６として機能する。基板作業枚数カウント部５２は、基板搬送装置２８による回路基板１２の搬入及び／又は搬出に基づいて対基板作業機８の基板作業枚数をカウントするとともに、そのカウントした基板作業枚数を操作パネル３２と記憶装置５８とデータサーバ６に送信する。基板作業枚数リセット部５４は、リセットスイッチ７２が操作され、かつ、予め設定された所定条件（後で詳述）が成立したときに、操作パネル３２と、記憶装置５８に記憶されている対基板作業機８の基板作業枚数をリセットする。基板作業制御部５６は、記憶装置５８に記憶されている演算プログラムに基づいて、装着ヘッド２２、移動装置２４、基板支持装置２６、基板搬送装置２８、フィーダ３０、操作パネル３２、及びカメラ４８の動作を制御し、回路基板１２に電子部品を実装する。基板作業制御部５６による各部２２，２４，２６，２８，３０，３２，４８の制御は、公知の方法で行われる。以下では、基板作業枚数カウント部５２が実行する基板作業枚数カウント処理と、基板作業枚数リセット部５４が実行する基板作業枚数リセット処理について説明する。
【００２２】
まず、制御装置５０の基板作業枚数カウント部５２による基板作業枚数カウント処理について説明する。基板作業枚数カウント処理は、常時実行される処理である。基板作業枚数カウント部５２は、対基板作業機８から回路基板１２が搬出されたときに、当該対基板作業機８の基板作業枚数をカウントアップする。対基板作業機８から回路基板１２が搬出されたか否かは、基板搬送装置２８の動作をモニタリングすることや、カメラ４８もしくはセンサ（図示省略）を用いて基板支持装置２６からの回路基板１２の搬出を検知することで判断することができる。対基板作業機８は、カウントアップした基板作業枚数を記憶装置５８、操作パネル３２、及び制御装置７０に送信する。制御装置７０は、データサーバ６の所定の記憶領域に記憶されている当該対基板作業機の基板作業枚数を更新する。
【００２３】
次に、図５を参照して、基板作業枚数リセット処理について説明する。基板作業枚数リセット処理は、作業者がリセットスイッチ７２を操作することで開始される。なお、作業者は、リセットスイッチ７２を操作する前に、予め基板作業枚数をリセットする対基板作業機８（以下、基準対基板作業機と呼ぶ）を選択する。選択する対基板作業機８の数は、一つでも複数でもよく、全ての対基板作業機８ａ−８ｅでもよい。
【００２４】
まず、制御装置７０は、リセットスイッチ７２が操作されると、基準対基板作業機として選択された対基板作業機８の制御装置５０に、第１リセット信号を送信する。対基板作業機８の制御装置５０は、制御装置７０から送信される第１リセット信号を受信すると（Ｓ１２）、当該対基板作業機の作業基板枚数をリセットする処理を行う。制御装置５０は、第１リセット信号を受信した際に、当該対基板作業機に回路基板１２が存在する場合に、その回路基板１２をリセットスイッチ操作前の基板作業枚数にカウントすべきか否かが設定されている。本実施例では、制御装置５０は、第１リセット信号を受信した際に、当該対基板作業機に存在する回路基板１２は、リセットスイッチ操作前の基板作業枚数にカウントするように設定されている。制御装置５０はさらに、リセットのための所定条件が設定されている。具体的には、本実施例では、制御装置５０は、対基板作業機８から回路基板１２が搬出されたことを判断したら、その回路基板１２をカウントアップして、作業基板枚数をリセットするように設定されている。このため、対基板作業機８で回路基板１２への作業が行われているときに第１リセット信号を受信すると、制御装置５０は、受信時に行われている回路基板１２への作業が完了するまで待機する。したがって、制御装置５０は、第１リセット信号を受信すると、まず、当該対基板作業機８内に回路基板１２が存在するか否かを判断する（Ｓ１４）。当該対基板作業機８内に回路基板１２が存在する場合としては、例えば当該対基板作業機８内で回路基板１２への作業が行われている場合がある。回路基板１２への作業が行われているとき、すなわち、回路基板１２が存在すると判断されるとき（Ｓ１４でＹＥＳ）は、制御装置５０は、第１リセット信号受信時に作業が行われていた回路基板１２が当該対基板作業機８から搬出されたか否かを監視する（Ｓ１６）。そして、対基板作業機８から当該回路基板１２が搬出されたと判断されると（Ｓ１６でＹＥＳ）、基板作業枚数を１カウントアップすると共に（Ｓ１８）、そのカウントアップした基板枚数を制御装置７０に送信し（Ｓ２０）、その後に、記憶装置５８に記憶されている基板作業枚数をリセットする（Ｓ２２）。カウントアップした基板作業枚数が制御装置７０に送信されるため、データサーバ６の基板作業枚数も１カウントアップされた数字に変更される。一方、第１リセット信号を受信したときに対基板作業機８内に回路基板１２が存在しないと判断されるとき（Ｓ１４でＮＯ）（すなわち、回路基板１２が搬出された後で、かつ、回路基板１２が搬入される前）は、制御装置５０は、直ちに記憶装置５８に記憶されている基板作業枚数をリセットする（Ｓ２２）。これによって、リセットスイッチ７２が操作された時に、基準対基板作業機で作業が行われている回路基板１２は、リセットスイッチ操作前の基板作業枚数としてカウントされる。また、制御装置５０は、記憶装置５８に記憶されている基板作業枚数をリセットすると、第２リセット信号を制御装置７０に送信する（Ｓ２４）。なお、記憶装置５８に記憶されている基板作業枚数がリセットされると、操作パネル３２に表示される基板作業枚数もリセットされる。
【００２５】
上述したように、制御装置５０は、記憶装置５８に記憶されている基板作業枚数をリセットすると、第２リセット信号を制御装置７０に送信する。このため、第１リセット信号を送信した制御装置７０は、基準対基板作業機より第２リセット信号を受信するか否かを監視する。制御装置７０は、基準対基板作業機より第２リセット信号を受信すると、データサーバ６の基準対基板作業機の基板作業枚数が記憶される記憶領域を変更する。すなわち、第２リセット信号受信時の基板作業枚数は保存され、それ以後は、新たな領域に基板作業枚数が保存される。これにより、データサーバ６において、リセットスイッチ７２が操作される前に基準対基板作業機で作業されていた基板作業枚数が保存される。基板作業枚数をリセットする対基板作業機８が２つ以上選択されている場合は、上述の処理が対基板作業機毎に実行される。
【００２６】
上述の説明から明らかなように、本実施例の対基板作業管理装置２では、リセットスイッチ７２操作時に、基準対基板作業機に存在する回路基板１２は、リセットスイッチ７２操作前の基板作業枚数にカウントするという設定に基づいて、基準対基板作業機内に回路基板１２が存在するか否かが判断された後にリセット処理を行うので、対基板作業機８が作動している状態で、基準対基板作業機の基板作業枚数をリセットすることができる。また、基準対基板作業機内に回路基板１２が存在すると判断された場合、基準対基板作業機から回路基板１２が搬出されるという所定条件が成立したことが判断された後に、基板作業枚数が１カウントアップされて、リセット処理が行われる。これにより、対基板作業管理装置２の稼働時間を低下させることなく、基準対基板作業機の基板作業枚数をリセットすることができる。また、リセットスイッチ７２が操作された時に、基準対基板作業機内に回路基板１２が存在すると判断された場合、回路基板１２は、リセットスイッチ操作前の基板作業枚数としてカウントされる。これにより、リセットスイッチ７２を操作するタイミングを調整しなくても、基準対基板作業機から回路基板１２が搬出されるタイミングで基板作業枚数をリセットすることができる。
【００２７】
（第２実施例）
図６を参照して、第１実施例と異なる点を説明する。なお、第１実施例と共通する構成については、説明を省略する。第２実施例では、基板作業枚数リセット部５４の基板作業枚数リセット処理のみが第１実施例と異なる。基板作業枚数リセット処理は、作業者がリセットスイッチ７２を操作することで、開始される。本実施例では、基準対基板作業機として、対基板作業機８ｅの基板作業枚数をリセットする場合について説明する。
【００２８】
まず、制御装置７０は、リセットスイッチ７２が操作されると、対基板作業機８ａの制御装置５０に第１リセット信号を送信する。本実施例では、リセットスイッチ７２の操作時に最上流側の対基板作業機８ａで作業が実施されている回路基板１２が、最下流側の対基板作業機８ｅから搬出された時に基板作業枚数をリセットするように構成されている。したがって、まず、対基板作業機８ａの制御装置５０は、当該対基板作業機８ａで作業が行われている回路基板１２を基準回路基板として設定し、基準回路基板が当該対基板作業機８ａから搬出されたか否かを監視する。そして、対基板作業機８ａから基準回路基板が搬出されると、対基板作業機８ａの制御装置５０は、制御装置７０を介して対基板作業機８ｂの制御装置５０に、基準回路基板搬出信号を送信する。対基板作業機８ｂの制御装置５０は、基準回路基板が当該対基板作業機８ｂから搬出されたか否かを監視し、対基板作業機８ｂから搬出されると、制御装置７０を介して対基板作業機８ｃの制御装置５０に基準回路基板搬出信号を送信する。対基板作業機８ｂと同様の処理を、対基板作業機８ｃ，８ｄも実施する。なお、基板作業枚数リセット処理中に、対基板作業機８ｅから回路基板１２が搬出された場合にも、上述の基板作業枚数カウント処理は実行される。そして、対基板作業機８ｅの制御装置５０は、対基板作業機８ｄの制御装置５０から送信される基準回路基板搬送信号を受信する（Ｓ３２）と、当該対基板作業機８ｅ内に基準回路基板が存在するか否かを判断する（Ｓ３４）。基準回路基板が存在すると判断されるときは（Ｓ３４でＹＥＳ）、対基板作業機８ｅの制御装置５０は、基準回路基板が対基板作業機８ｅから搬出されたか否かを監視する（Ｓ３６）。そして、対基板作業機８ｅから基準回路基板が搬出されたと判断されると（Ｓ３６でＹＥＳ）、制御装置５０は、基板作業枚数を１カウントアップすると共に（Ｓ３８）、そのカウントアップした基板作業枚数を制御装置７０に送信し（Ｓ４０）、その後に、記憶装置５８に記憶されている基板作業枚数をリセットする（Ｓ４２）。カウントアップした基板作業枚数が制御装置７０に送信されるため、データサーバ６の基板作業枚数も１カウントアップされた数字に変更される。また、制御装置５０は、記憶装置５８に記憶されている基板作業枚数をリセットすると、第２リセット信号を制御装置７０に送信する（Ｓ４４）。なお、記憶装置５８に記憶されている基板作業生産枚数がリセットされると、操作パネル３２に表示される基板作業枚数もリセットされる。
【００２９】
上述の説明から明らかなように、対基板作業機８ｅの制御装置５０は、記憶装置５８に記憶されている基板作業枚数をリセットすると、第２リセット信号を制御装置７０に送信する。このため、第１リセット信号を送信した制御装置７０は、対基板作業機８ｅより第２リセット信号を受信するか否かを監視する。制御装置７０は、対基板作業機８ｅより第２リセット信号を受信すると、データサーバ６の対基板作業機８ｅの基板作業枚数が記憶される記憶領域を変更する。すなわち、第２リセット信号受信時の基板作業枚数は保存され、それ以降は、新たな領域に基板作業枚数が保存される。これにより、データサーバ６において、リセットスイッチ７２操作時までに生産ライン９に供給された回路基板１２の枚数が保存される。本実施例では、対基板作業機８ｅの基板作業枚数のみをリセットしているが、複数の対基板作業機８の基板作業枚数をリセットしてもよい。
【００３０】
上記の構成によると、リセットスイッチ７２操作時までに生産ラインに供給された回路基板１２、例えば、リセットスイッチ７２操作時に、最上流の対基板作業機８ａに存在する回路基板１２は、リセットスイッチ７２操作前の基板作業枚数にカウントするという設定に基づいて、基板作業枚数のリセットの対象となる対基板作業機（本実施例において対基板作業機８ｅ）内に、基準回路基板が存在するか否かが判断された後にリセット処理が行われるので、対基板作業機８が作動している状態で、リセットスイッチ７２操作時までに生産ライン９に供給された回路基板１２と、リセットスイッチ７２操作後に生産ライン９に供給された回路基板１２と、を適切に判別することができる。
【００３１】
以上、本明細書に開示の技術に係る実施例について詳細に説明したが、これらは例示に過ぎず、特許請求の範囲を限定するものではない。特許請求の範囲に記載の技術には、以上に例示した具体例を様々に変形、変更したものが含まれる。
【００３２】
（変形例）
（１）例えば、上記の各実施例では、アクセサリＰＣ４がリセットスイッチ７２を有している。しかしながら、対基板作業機８が、リセットスイッチ７２を有していてもよい。
【００３３】
（２）上記の各実施例において、対基板作業管理装置２は、リセットスイッチ７２操作時に、基準対基板作業機で作業が行われている回路基板１２が、基準対基板作業機から搬出されたら、基板作業枚数をリセットするように設定されている。しかしながら、基準対基板作業機において、回路基板１２に作業が行われている状態で、基板作業枚数をリセットしてもよい。
【００３４】
（３）上記の各実施例において、複数の対基板作業機８ａ−８ｅは、同一の構成をしているものとして説明されている。しかしながら、複数の対基板作業機８ａ−８ｅは、対基板作業機毎に設定される作業を回路基板１２に対して実施するものであれば、異なる構成のものが含まれていてもよい。また、対基板作業機毎に設定された作業は、電子部品の実装に限定されない。例えば、対基板作業機毎に設定された作業は、回路基板へのクリーム半田の印刷、回路基板に印刷されたクリーム半田の印刷状態の検査、回路基板に実装された電子部品の実装状態の検査などの作業であってもよい。
【００３５】
（４）上記の各実施例において、基板作業枚数カウント部５２は、回路基板１２の搬出に基づいて、対基板作業機の基板作業枚数をカウントする。そして、対基板作業管理装置２は、基準対基板作業機内に回路基板１２が存在するか否かを判断し、回路基板１２が存在すると判断した場合には、基準対基板作業機から回路基板１２が搬出されたときに基板作業枚数をリセットするように設定されている。しかしながら、対基板作業管理装置２は、回路基板１２が基準対基板作業機から搬出されたか否かを判断する代わりに、基準対基板作業機に設定された作業が終了したか否かを判断し、基準対基板作業機の作業が終了したと判断した場合に、基板作業枚数を１カウントアップして、基板作業枚数をリセットするように設定されてもよい。基準対基板作業機での回路基板１２に対する作業が終了したにもかかわらず、回路基板１２が基準対基板作業機から搬出されていない場合としては、例えば、基準対基板作業機の下流の作業機が当該回路基板１２を搬入可能な状態になることを待機している場合がある。このような態様の対基板作業管理装置２であっても、リセットスイッチ７２操作時に、基準対基板作業機に存在する回路基板１２は、リセットスイッチ操作前の基板作業枚数にカウントするという設定に基づいて、対基板作業機内に回路基板１２が存在するか否かが判断された後にリセット処理を行うので、対基板作業機８が作動している状態で、基準対基板作業機の基板作業枚数をリセットすることができる。また、基準対基板作業機内に回路基板１２が存在すると判断された場合、基準対基板作業機に設定された作業が終了するという所定条件が成立したことが判断された後に、リセット処理が行われる。これにより、対基板作業管理装置２の稼働時間を低下させることなく、基準対基板作業機の基板作業枚数をリセットすることができる。
【００３６】
（５）上記の各実施例において、対基板作業管理装置２は、リセットスイッチ７２操作時に、基準対基板作業機に存在する回路基板１２は、リセットスイッチ７２操作前の基板作業枚数にカウントするように設定されている。しかしながら、対基板作業管理装置２は、リセットスイッチ７２操作時に、基準対基板作業機に存在する回路基板１２が、リセットスイッチ７２操作前の基板作業枚数にカウントしないように設定されてもよい。例えば、図７に示されるように、基準対基板作業機の制御装置５０は、制御装置７０から送信される第１リセット信号を受信すると（Ｓ５２）、基準対基板作業機内に回路基板１２が存在するか否かを判断することなく、記憶装置５８に記憶されている基板作業枚数をリセットする（Ｓ５４）。すなわち、リセットスイッチ７２操作時点で記憶装置５８に記憶されている基板作業枚数がリセットされる。そして、制御装置５０は、第２リセット信号を制御装置７０に送信する(Ｓ５６)。制御装置７０は、基準対基板作業機より第２リセット信号を受信すると、データサーバ６の基準対基板作業機の基板作業枚数が記憶される記憶領域を変更する。このような態様の対基板作業管理装置２であっても、リセットスイッチ７２操作時に、基準対基板作業機に存在する回路基板１２は、リセットスイッチ７２操作前の基板作業枚数にカウントしないという設定に基づいて、基板作業枚数リセット処理を行うので、対基板作業機８が作動している状態で、基準対基板作業機の基板作業枚数をリセットすることができる。
【００３７】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図１】
2016103330.tif 000003
【図２】
2016103330.tif 000004
【図３】
2016103330.tif 000005
【図４】
2016103330.tif 000006
【図５】
2016103330.tif 000007
【図６】
2016103330.tif 000008
【図７】
2016103330.tif 000009
【国際調査報告】
2016103330.tif 000010
2016103330.tif 000011